(57)【特許請求の範囲】
【請求項１】
左右一対の側板と、
この側板に対して開閉可能に設けるとともに、帯状の台紙なしラベルをロール状に保持可能な用紙ホルダーと、を有し、
この用紙ホルダーから前記側板の内部を移送されて前記側板の外部に排出されてきた前記台紙なしラベルを貼り付けるための携帯式台紙なしラベル貼付け機のラベル保持装置であって、
前記用紙ホルダーをそのホルダー軸のまわりに前記側板に対して回動開放して前記台紙なしラベルをロール状に装填可能とし、
前記用紙ホルダーの前記側板に対する回動閉鎖にともなって前記台紙なしラベルを前記用紙ホルダー内に巻き取り可能とするラベル巻取り機構を有することを特徴とする携帯式台紙なしラベル貼付け機のラベル保持装置。
【請求項２】
前記ラベル巻取り機構は、
前記用紙ホルダーの回動範囲内に設けた固定ギアと、
前記用紙ホルダーの前記ホルダー軸に設けた保持軸ギアと、
この保持軸ギアおよび前記固定ギアに係脱するとともに、前記用紙ホルダーの前記回動閉鎖にともなって前記固定ギアとの係合によりその回動力を前記保持軸ギアに伝達可能な中間ギアと、を有することを特徴とする請求項１記載の携帯式台紙なしラベル貼付け機のラベル保持装置。
【請求項３】
前記ラベル巻取り機構は、
前記用紙ホルダーの前記側板への回動閉鎖の終了にともなって、その巻取り機能を解除することを特徴とする請求項１または２記載の携帯式台紙なしラベル貼付け機のラベル保持装置。
【請求項４】
前記中間ギアは、
前記用紙ホルダーの前記側板への回動閉鎖の終了にともなって、前記固定ギアとの係合を解除することを特徴とする請求項２記載の携帯式台紙なしラベル貼付け機のラベル保持装置。
【請求項５】
前記ラベル巻取り機構は、
前記用紙ホルダーの前記ホルダー軸に設けた固定伝達部材と、
前記用紙ホルダーのラベル保持軸に設けた保持軸伝達部材と、
この保持軸伝達部材および前記固定伝達部材に掛け回すとともに、前記用紙ホルダーの前記回動閉鎖にともなってその回動力を前記保持軸伝達部材に伝達可能な伝達ベルトと、を有することを特徴とする請求項１記載の携帯式台紙なしラベル貼付け機のラベル保持装置。
【請求項６】
前記伝達ベルトは、
前記固定伝達部材と一体的に回動することなく、前記保持軸伝達部材と相対的に位置をずらすことを特徴とする請求項５記載の携帯式台紙なしラベル貼付け機のラベル保持装置。
【請求項７】
前記固定伝達部材は、
前記保持軸伝達部材よりこれを大径としていることを特徴とする請求項５または６記載の携帯式台紙なしラベル貼付け機のラベル保持装置。
【請求項８】
前記ラベル保持軸は、前記用紙ホルダーに対して自由回転可能となっているとともに、前記保持軸伝達部材の外径より大きな内径を有することを特徴とする請求項５ないし７のいずれかに記載の携帯式台紙なしラベル貼付け機のラベル保持装置。
【請求項９】
前記用紙ホルダーから帯状に繰り出された前記台紙なしラベルをその上面に移送するプラテンユニットを有し、
このプラテンユニットに前記台紙なしラベルの最先端部を装填することを特徴とする請求項１ないし８のいずれかに携帯式台紙なしラベル貼付け機のラベル保持装置。
【請求項１０】
左右一対の側板と、
この側板に対して開閉可能に設けるとともに、帯状の台紙なしラベルをロール状に保持可能な用紙ホルダーと、を有し、
この用紙ホルダーから前記側板の内部を移送されて前記側板の外部に排出されてきた前記台紙なしラベルを貼り付けるための携帯式台紙なしラベル貼付け機のラベル保持方法であって、
前記用紙ホルダーをそのホルダー軸のまわりに前記側板に対して回動開放して前記台紙なしラベルをロール状に装填可能とし、
前記用紙ホルダーの前記側板に対する回動閉鎖にともなって前記台紙なしラベルを前記用紙ホルダー内に巻き取り可能とすることを特徴とする携帯式台紙なしラベル貼付け機のラベル保持方法。
【発明の詳細な説明】
【技術分野】
【０００１】
本発明は携帯式台紙なしラベル貼付け機のラベル保持装置およびラベル保持方法にかかるもので、とくに帯状の台紙なしラベルをロール状に保持した上で、これを貼付け機内に帯状に繰り出し可能とする携帯式台紙なしラベル貼付け機のラベル保持装置およびラベル保持方法に関するものである。
【背景技術】
【０００２】
従来から、単葉のラベル片を複数枚有するラベル連続体を移送するとともに印字器によりラベル片に印字を行って、商品その他任意の被貼付け体に貼り付けるための携帯式ラベル印字貼付け機には、ロール状のラベル連続体を用紙ホルダーに保持するとともに、ラベル連続体を貼付け機内に装填する必要がある。
なお、上記印字器を装備せず、あらかじめ印刷してあるラベルを貼り付けるための携帯式ラベル貼付け機にも同様にラベル連続体を装填する必要がある。
従来の携帯式ラベル貼付け機として台紙なしラベル用の携帯式ラベル貼付け機（携帯式台紙なしラベル印字貼付け機１）を例にとって図６ないし図１０にもとづき概説する。
【０００３】
図６は、携帯式台紙なしラベル印字貼付け機１の概略側面図、図７は、同、一方の側板２を取り除いた状態の概略側面図である。
携帯式台紙なしラベル印字貼付け機１は、左右（紙面表裏）一対の側板２と、台紙なしラベル３（ラベル連続体）の用紙ホルダー４と、操作レバー５と、プラテンユニット６と、印字器７と、貼付けローラー８と、を有する。
【０００４】
左右一対の側板２は、操作者が握持可能なグリップ９を一体に形成するとともに、このグリップ９に対してレバー軸１０（図７）のまわりに操作レバー５を回動操作可能としている。
なお、操作レバー５とグリップ９との間には、任意の付勢部材、たとえばコイルスプリング１１を設けて、操作レバー５をグリップ９に対して、図６に示すような常時（操作レバー５の解放時）離反状態に付勢可能としている。
操作者は、コイルスプリング１１の付勢力に抗してグリップ９および操作レバー５を握持して携帯式台紙なしラベル印字貼付け機１内のプラテンユニット６および印字器７を駆動するとともに、この握持操作を解放後、携帯式台紙なしラベル印字貼付け機１の貼付けローラー８による台紙なしラベル３の貼付け操作を行うことになる。
【０００５】
台紙なしラベル３は、これをロール状に巻いて用紙ホルダー４に保持するとともに、操作レバー５の操作にともなって、プラテンユニット６により印字器７方向に台紙なしラベル３を帯状に繰り出し、プラテンユニット６の先端部でプラテンユニット６から台紙なしラベル３を分離し、貼付けローラー８により台紙なしラベル３を被貼付け体（図示せず）に貼り付け可能とする。ただし、台紙なしラベル３には所定ピッチで移送用スリット３Ａなどを形成し、プラテンユニット６上を移送する際に、任意の切断分離ユニット（図示せず）により、帯状の台紙なしラベル３から単葉のラベル片３Ｂとすることができる。
【０００６】
用紙ホルダー４は、側板２の上面に設けたホルダー軸１２のまわりに側板２に対して開閉回動可能とした断面半円弧状のホルダーカバー１３と、このホルダーカバー１３の内部に設けたラベル保持軸１４と、側板２への固定用フック１５と、を有し、ラベル保持軸１４にロール状の台紙なしラベル３を装填保持可能としてある。
【０００７】
プラテンユニット６は、用紙ホルダー４から帯状に繰り出された台紙なしラベル３をその上面に移送するもので、プラテンフレーム１６と、移送ローラー１７と、押付けエレメント１８と、を有している。
【０００８】
プラテンフレーム１６は、側板２に設けたプラテン開閉軸１９（図７）のまわりにこれを回動可能とし、側板２に対してプラテンユニット６全体を開閉し、台紙なしラベル３の挿通装填を可能とする。
プラテンフレーム１６は、駆動ギア２０および従動ギア２１と、これら駆動ギア２０および従動ギア２１のまわりに掛け回した移送用無端ベルト２２と、を備えており、駆動ギア２０が移送ローラー１７のローラーギア２３に係合する。
移送用無端ベルト２２は、移送ローラー１７により移送されてくる台紙なしラベル３をさらに移送可能であって、その表面は、台紙なしラベル３の裏面（糊面）が接触移送されるため、非粘着性の物性を有するシリコーンあるいはフッ素系のゴム材からこれを構成するか、剥離剤などを塗布しておく。また、このプラテンユニット６に組み込まれた移送用無端ベルト２２は、印字器７による台紙なしラベル３への押印動作の受け台（プラテン）ともなるもので、その内方において印字器７に対向する受圧用プレート２２Ａを配置してある。
なお、プラテンフレーム１６の先端側の左右には、一対の係脱ローラー２４を突出形成し、側板２に設けた開閉用つまみ２５（図６）に連動してつまみ軸２６（図７）のまわりに回動する開閉用係脱片２７の係脱用凹部２７Ａに係脱可能としてある。ただし、つまみ軸２６には任意のバネ材（図示せず）を設けて、開閉用係脱片２７が係脱ローラー２４に係合する方向にこれを付勢している。
すなわち、開閉用つまみ２５は、係脱ローラー２４に係脱する開閉用係脱片２７を操作して、プラテンユニット６と開閉用係脱片２７とを互いに係脱可能としている。
【０００９】
移送ローラー１７は、プラテンフレーム１６に設けたローラー軸２８のまわりに移送方向に所定ピッチでこれを回転可能としてある。
操作レバー５のレバー軸１０の下方部に延びる連結アーム２９（図６）に移送回動用爪３０を往復動可能に取り付けてあり、この移送回動用爪３０が移送ローラー１７におけるローラーギア２３の側面に放射状に設けた複数個の移送用突起３１それぞれに係脱可能である。
【００１０】
かくして、操作レバー５をグリップ９とともに握持および解放することにより、連結アーム２９、移送回動用爪３０およびローラーギア２３などを介してローラー軸２８のまわりに移送ローラー１７を所定ピッチだけ回転して台紙なしラベル３を移送可能とするとともに、移送ローラー１７のローラーギア２３と駆動ギア２０との連結係合により移送用無端ベルト２２を回転させて台紙なしラベル３をその上面に移送可能である。
【００１１】
さらに移送ローラー１７に所定ピッチでその円周方向に移送用爪（図示せず）を突出形成し、この移送用爪を台紙なしラベル３の移送用スリット３Ａに係脱可能としている。
なお、操作レバー５には、その先端側に二股状のヨーク部５Ａを有し、このヨーク部５Ａに印字器７（図６）を取り付けている。
【００１２】
押付けエレメント１８は、移送ローラー１７に台紙なしラベル３を押し付けるためのものであり、エレメントフレーム３２と、上下左右二対のバックアップローラー３３と、バックアップローラー３３の間に掛け回して中央に位置するバックアップリング３４と、を有する。
なお、プラテンユニット６が開閉用係脱片２７（図７）から離脱したときに、任意の付勢部材（たとえば板バネあるいはねじりコイルバネなど、図示せず）により、押付けエレメント１８から移送ローラー１７を離反させ、その間に台紙なしラベル３を挿通可能とする間隙３５（図７）を形成可能とする。
ただし、プラテンフレーム１６は、係脱ローラー２５と開閉用係脱片２７との係合により、上記付勢部材の付勢力に抗して側板２にこれを固定可能としている。
なお、エレメントフレーム３２は、プラテンフレーム１６の外壁面に設けたエレメント軸３６（図７）のまわりにプラテンフレーム１６に対してこれを回動可能としてあり、プラテンユニット６において押付けエレメント１８に対してプラテンフレーム１６を相対的に開閉可能としている。
【００１３】
バックアップローラー３３およびバックアップリング３４は、台紙なしラベル３の裏面（糊面）が接触移送されるため、非粘着性の物性を有するシリコーンあるいはフッ素系のゴム材からこれを構成するか、剥離剤などを塗布しておくもので、台紙なしラベル３を移送ローラー１７側に押し付け可能である。
また、バックアップローラー３３およびバックアップリング３４は、台紙なしラベル３の糊面に線接触するため、糊面との粘着力を極力小さくすることができるとともに、所定のバネ弾性をもった押付けが可能である。
バックアップローラー３３は、移送ローラー１７と押付けエレメント１８との間に台紙なしラベル３を挟持しつつ、移送ローラー１７の回転によって台紙なしラベル３を移送用無端ベルト２２上に送り出す。
【００１４】
印字器７は、操作レバー５における二股状のヨーク部５Ａの先端部側にこれを取り付け、インキローラー３７（図６）により印字器７の一列上に選択した複数個の活字（図示せず）にインキを塗布し、プラテンユニット６における移送用無端ベルト２２の上面に移送されてきた台紙なしラベル３（ラベル片３Ｂ）に所定の情報を印字する。
【００１５】
かくして、とくに図６に示すように、用紙ホルダー４の部分から側板２内をとおり、プラテンユニット６（移送ローラー１７、押付けエレメント１８）の先端部分に至る移送路３８を形成している。
【００１６】
貼付けローラー８は、側板２の先端下方部に位置し、プラテンユニット６における移送用無端ベルト２２の先端部分で移送用無端ベルト２２から剥離されたラベル片３Ｂを、携帯式台紙なしラベル貼付け機１全体の貼付け操作にともなって、貼付けローラー８によるラベル片３Ｂを被貼付け体に貼り付ける。
すなわち、貼付けローラー８は、側板２の端部（図６中、左端下方端部）に位置するとともに、その円周部の一部が側板２の外部に露出しており、側板２の外部に排出するようにプラテンユニット６およびその移送用無端ベルト２２を通って側板２の外部に移送されてきたラベル片３Ｂを、貼付けローラー８を被貼付け体に打ち付けるようにして回転させることにより、被貼付け体に貼り付け可能とする。
【００１７】
こうした構成の携帯式台紙なしラベル印字貼付け機１に台紙なしラベル３を装填する操作について図８ないし図１０にもとづいて概説する。
図８は、用紙ホルダー４およびプラテンユニット６を側板２に対して開放した状態を示す概略側面図、図９は、プラテンユニット６のみを側板２に対して閉鎖した状態を示す概略側面図、図１０は、プラテンユニット６および用紙ホルダー４を側板２に対して閉鎖した状態を示す概略側面図である。
ロール状の台紙なしラベル３を携帯式台紙なしラベル印字貼付け機１に装填する操作としては、図８に示すように、まず用紙ホルダー４を前記ホルダー軸１２のまわりに図８中、時計方向に回動して開放するとともに、前記開閉用つまみ２５（図６）を操作してプラテンユニット６を前記プラテン開閉軸１９のまわりに反時計方向に回動して開放する。
【００１８】
用紙ホルダー４が解放された状態で、ラベル保持軸１４の側面からロール状の台紙なしラベル３をラベル保持軸１４に嵌め込み、図中、仮想線で示すように、台紙なしラベル３の最先端部３Ｃからこれを帯状に引き出して側板２内の移送路３８、すなわち、プラテンユニット６における移送ローラー１７と押付けエレメント１８との間の間隙３５に挿通する。
【００１９】
つぎに、図９に示すように、プラテンユニット６を時計方向に閉鎖することにより移送ローラー１７と押付けエレメント１８との間に台紙なしラベル３の最先端部３Ｃを挟持させる。
さらに図１０に示すように、用紙ホルダー４を閉鎖して操作レバー５およびグリップ９の握持および開放操作を繰り返すことにより、移送ローラー１７および移送用無端ベルト２２を駆動して携帯式台紙なしラベル印字貼付け機１内に台紙なしラベル３を移送・装填することができるようにする。
【００２０】
しかしながら、実際には、台紙なしラベル３の裏面側には台紙が積層されておらず粘着剤層が露出していることから、用紙ホルダー４とプラテンユニット６との間における移送路３８に台紙なしラベル３が延びたままの状態で、用紙ホルダー４をホルダー軸１２のまわりに閉鎖回動したときに、台紙なしラベル３にたるみが発生し、用紙ホルダー４におけるホルダーカバー１３の円弧先端部１３Ａと台紙なしラベル３の最先端部３Ｃとの間のいずれかの部分の台紙なしラベル３が折り曲がり、ないしは折り畳まれて、図１０に示すように台紙なしラベル３の裏面どうしが貼り付いて貼付き部分３Ｄが生じてその装填に支障があるという問題がある。
【００２１】
さらに、この台紙なしラベル３の裏面どうしの貼付き現象を回避するためには、用紙ホルダー４を側板２に対して閉鎖する際に、台紙なしラベル３をラベル保持軸１４に巻き戻すようにして閉める必要があるため、台紙なしラベル３の装填操作性が低下するという問題がある。
【先行技術文献】
【特許文献】
【００２２】
【特許文献１】特開２００９−２７４２８２号公報
【発明の概要】
【発明が解決しようとする課題】
【００２３】
本発明は以上のような諸問題にかんがみなされたもので、台紙なしラベルを用紙ホルダーから側板内に装填する際に台紙なしラベルの裏面どうしが貼り付いてしまうことを回避可能な携帯式台紙なしラベル貼付け機のラベル保持装置およびラベル保持方法を提供することを課題とする。
【００２４】
また本発明は、台紙なしラベルを側板内に装填する操作性に優れた携帯式台紙なしラベル貼付け機のラベル保持装置およびラベル保持方法を提供することを課題とする。
【００２５】
また本発明は、台紙なしラベルを保持した用紙ホルダーを側板に回動閉鎖する操作だけで、台紙なしラベルを移送路内に適正に装填可能な携帯式台紙なしラベル貼付け機のラベル保持装置およびラベル保持方法を提供することを課題とする。
【課題を解決するための手段】
【００２６】
すなわち本発明は、側板への用紙ホルダーの回動閉鎖にともなってラベル保持軸を台紙なしラベルの巻取り方向に逆転させることに着目したもので、第一の発明は、左右一対の側板と、この側板に対して開閉可能に設けるとともに、帯状の台紙なしラベルをロール状に保持可能な用紙ホルダーと、を有し、この用紙ホルダーから上記側板の内部を移送されて上記側板の外部に排出されてきた上記台紙なしラベルを貼り付けるための携帯式台紙なしラベル貼付け機のラベル保持装置であって、上記用紙ホルダーをそのホルダー軸のまわりに上記側板に対して回動開放して上記台紙なしラベルをロール状に装填可能とし、上記用紙ホルダーの上記側板に対する回動閉鎖にともなって上記台紙なしラベルを上記用紙ホルダー内に巻き取り可能とするラベル巻取り機構を有することを特徴とする携帯式台紙なしラベル貼付け機のラベル保持装置である。
【００２７】
第二の発明は、左右一対の側板と、この側板に対して開閉可能に設けるとともに、帯状の台紙なしラベルをロール状に保持可能な用紙ホルダーと、を有し、この用紙ホルダーから上記側板の内部を移送されて上記側板の外部に排出されてきた上記台紙なしラベルを貼り付けるための携帯式台紙なしラベル貼付け機のラベル保持方法であって、上記用紙ホルダーをそのホルダー軸のまわりに上記側板に対して回動開放して上記台紙なしラベルをロール状に装填可能とし、上記用紙ホルダーの上記側板に対する回動閉鎖にともなって上記台紙なしラベルを上記用紙ホルダー内に巻き取り可能とすることを特徴とする携帯式台紙なしラベル貼付け機のラベル保持方法である。
【００２８】
上記ラベル巻取り機構は、上記用紙ホルダーの回動範囲内に設けた固定ギアと、上記用紙ホルダーの上記ホルダー軸に設けた保持軸ギアと、この保持軸ギアおよび上記固定ギアに係脱するとともに、上記用紙ホルダーの上記回動閉鎖にともなって上記固定ギアとの係合によりその回動力を上記保持軸ギアに伝達可能な中間ギアと、を有することができる。
【００２９】
上記ラベル巻取り機構は、上記用紙ホルダーの上記側板への回動閉鎖の終了にともなって、その巻取り機能を解除することができる。
【００３０】
上記中間ギアは、上記用紙ホルダーの上記側板への回動閉鎖の終了にともなって、上記固定ギアとの係合を解除することができる。
【００３１】
上記ラベル巻取り機構は、上記用紙ホルダーの上記ホルダー軸に設けたプーリーやギアなどによる固定伝達部材と、上記用紙ホルダーのラベル保持軸に設けたプーリーやギアなどによる保持軸伝達部材と、この保持軸伝達部材および上記固定伝達部材に掛け回すとともに、上記用紙ホルダーの上記回動閉鎖にともなってその回動力を上記保持軸伝達部材に伝達可能な伝達ベルトと、を有することができる。
【００３２】
上記伝達ベルトは、上記固定伝達部材と一体的に回動することなく、上記保持軸伝達部材と相対的に位置をずらすことができる。
【００３３】
上記固定伝達部材は、上記保持軸伝達部材よりこれを大径としていることができる。
【００３４】
上記ラベル保持軸は、上記用紙ホルダーに対して自由回転可能となっているとともに、上記保持軸伝達部材の外径より大きな内径を有することができる。
【００３５】
上記用紙ホルダーから帯状に繰り出された上記台紙なしラベルをその上面に移送するプラテンユニットを有し、このプラテンユニットに上記台紙なしラベルの最先端部を装填することができる。
【発明の効果】
【００３６】
本発明による携帯式台紙なしラベル貼付け機のラベル保持装置およびラベル保持方法においては、用紙ホルダーの側板に対する回動閉鎖にともなって台紙なしラベルを用紙ホルダー内に巻き取り可能とするようにしたので、用紙ホルダーを閉じる際にラベル保持軸が台紙なしラベルの繰り出し方向とは逆に回転し、弛んだ台紙なしラベルを所定量だけ巻き取ることになるため、台紙なしラベルの装填時における台紙なしラベルのたるみによる貼付き現象を防止することができる。
【００３７】
とくに第一の発明の携帯式台紙なしラベル貼付け機のラベル保持装置によれば、用紙ホルダーの側板に対する回動閉鎖に連動するラベル巻取り機構を設けたので、用紙ホルダーの閉鎖操作にともなって台紙なしラベルの移送方向とは逆方向に台紙なしラベルを巻き取ることができる。
【００３８】
とくに第二の発明の携帯式台紙なしラベル貼付け機のラベル保持方法によれば、用紙ホルダーをそのホルダー軸のまわりに側板に対して回動開放して台紙なしラベルをロール状に装填可能とし、用紙ホルダーの側板に対する回動閉鎖にともなって台紙なしラベルを用紙ホルダー内に巻き取り可能としたので、側板への台紙なしラベルの装填操作を作業性よく行うことができる。
【図面の簡単な説明】
【００３９】
【図１】本発明の第１の実施例による携帯式台紙なしラベル貼付け機４０のラベル保持装置４１の概略側面図である。
【図２】同、用紙ホルダー４を側板２に閉鎖した状態の携帯式台紙なしラベル貼付け機４０の概略側面図である。
【図３】本発明の第２の実施例による携帯式台紙なしラベル貼付け機５０のラベル保持装置５１の概略側面図である。
【図４】同、固定プーリー５３、保持軸プーリー５４および伝達ベルト５５の相対位置関係を示す概略説明図であって、図４（１）は、用紙ホルダー４を側板２に対して回動開放した状態の説明図、図４（２）は、用紙ホルダー４を側板２に対してわずかに閉鎖方向に回動した状態の説明図、図４（３）は、用紙ホルダー４を側板２に対して閉鎖した状態の説明図である。
【図５】同、用紙ホルダー４を側板２に閉鎖した状態の携帯式台紙なしラベル貼付け機５０の概略側面図である。
【図６】従来の携帯式台紙なしラベル印字貼付け機１の概略側面図である。
【図７】同、一方の側板２を取り除いた状態の概略側面図である。
【図８】同、用紙ホルダー４およびプラテンユニット６を側板２に対して開放した状態を示す概略側面図である。
【図９】同、プラテンユニット６のみを側板２に対して閉鎖した状態を示す概略側面図である。
【図１０】同、プラテンユニット６および用紙ホルダー４を側板２に対して閉鎖した状態を示す概略側面図である。
【発明を実施するための形態】
【００４０】
本発明は、用紙ホルダーの側板に対する回動閉鎖に連動して台紙なしラベルを用紙ホルダー内に巻き取り可能とするようにしたので、弛んだ台紙なしラベルを所定量だけ巻き取ることになるため、台紙なしラベルのたるみによる貼付き現象を防止することができる携帯式台紙なしラベル貼付け機のラベル保持装置およびラベル保持方法を実現した。
【実施例】
【００４１】
つぎに本発明の第１の実施例による携帯式台紙なしラベル貼付け機４０のラベル保持装置４１およびラベル保持方法を図１および図２にもとづき説明する。ただし、図６ないし図１０と同様の部分には同一符号を付し、その詳述はこれを省略する。
図１は、携帯式台紙なしラベル貼付け機４０のラベル保持装置４１の概略側面図であって、携帯式台紙なしラベル貼付け機４０は、ラベル保持装置４１の部分のみが従来の携帯式台紙なしラベル印字貼付け機１（図６）とは異なる構成を有している。
【００４２】
すなわち、ラベル保持装置４１は、ラベル巻取り機構４２を有する。
ラベル巻取り機構４２は、固定ギア４３と、保持軸ギア４４と、中間ギア４５と、を有する。
【００４３】
固定ギア４３は、弧状のギアであって、用紙ホルダー４の回動範囲内すなわち、用紙ホルダー４のホルダー軸１２と同軸に、ただし側板２に固定してこれを設けてあり、ホルダー軸１２まわりのホルダーカバー１３の回動開閉に対して固定的である。
【００４４】
保持軸ギア４４は、用紙ホルダー４のラベル保持軸１４に同軸にこれを設けており、ラベル保持軸１４とともに一体的に台紙なしラベル３の繰出し方向（正方向）および巻戻し方向（逆方向）に回動する。
【００４５】
中間ギア４５は、ホルダーカバー１３にこれを自由回動（従動回動）可能に設けてあり、保持軸ギア４４および固定ギア４３に係脱するとともに、ホルダー軸１２のまわりにおける用紙ホルダー４の回動閉鎖にともなってその回動力を保持軸ギア４４に伝達可能である。
【００４６】
こうした構成の携帯式台紙なしラベル貼付け機４０のラベル保持装置４１に台紙なしラベル３を装填する操作としては、図１に示すように、まず用紙ホルダー４を側板２に対して図１中、ホルダー軸１２まわりに時計方向に回動開放する。
この開放状態でホルダーカバー１３のラベル保持軸１４にロール状の台紙なしラベル３を取り付け、その最先端部３Ｃを引き出して移送ローラー１７と押付けエレメント１８との間に挟み込むようにセットすることにより、プラテンユニット６に台紙なしラベル３の最先端部３Ｃを装填する。
【００４７】
用紙ホルダー４のホルダー軸１２まわりの側板２に対する図１中、反時計方向の回動閉鎖に対して、固定ギア４３が固定的であるため、中間ギア４５がその回動力を保持軸ギア４４に伝達し、保持軸ギア４４は、中間ギア４５とは反対方向すなわち、時計方向に逆転し、台紙なしラベル３をその逆回転分だけ巻き取る。すなわち、台紙なしラベル３を用紙ホルダー４内に巻き取り可能とすることができる。
【００４８】
図２は、上述のように用紙ホルダー４を側板２に閉鎖した状態の携帯式台紙なしラベル貼付け機４０の概略側面図であって、ラベル巻取り機構４２は、用紙ホルダー４の側板２への回動閉鎖の終了にともなって、その巻取り機能を解除する。
具体的には、中間ギア４５が、用紙ホルダー４の側板２への回動閉鎖の終了にともなって、固定ギア４３との係合を解除するため、これ以上の台紙なしラベル３のラベル保持軸１４への巻き戻しを停止することができる。
したがって、ラベル保持軸１４から帯状に繰り出された台紙なしラベル３は側板２内ないし側板２への繰り込み部分の付近においてその裏面側の糊面が互いに貼り付いてしまうことを回避可能であって、側板２内への台紙なしラベル３の装填を完了することができる。
【００４９】
また、中間ギア４５が、用紙ホルダー４の側板２への回動閉鎖の終了にともなって、固定ギア４３との係合を解除されているため、携帯式台紙なしラベル貼付け機４０の使用にともなって台紙なしラベル３がその内部の移送路３８に繰り出されてゆくことに支障はない。
【００５０】
図３は、本発明の第２の実施例による携帯式台紙なしラベル貼付け機５０のラベル保持装置５１の概略側面図であって、携帯式台紙なしラベル貼付け機５０は、ラベル保持装置５１の部分のみが従来の携帯式台紙なしラベル印字貼付け機１（図６）および第１の実施例による携帯式台紙なしラベル貼付け機４０（図１）とは異なる構成を有している。
【００５１】
すなわち、ラベル保持装置５１は、ラベル巻取り機構５２を有する。
このラベル巻取り機構５２は、固定プーリー５３（固定伝達部材）と、保持軸プーリー５４（保持軸伝達部材）と、伝達ベルト５５と、を有する。
【００５２】
固定プーリー５３は、用紙ホルダー４のホルダー軸１２にこれを固定して設けている。
固定プーリー５３は、保持軸プーリー５４よりこれを大径としている。
【００５３】
ラベル保持軸１４は、用紙ホルダー４に対して自由回転可能となっているとともに、保持軸プーリー５４の外径より大きな内径を有する保持孔５６を形成し、保持軸プーリー５４に対して自由回転可能となっている。
すなわち、ラベル保持軸１４の保持孔５６の上部内壁面に保持軸プーリー５４が当接しており、保持軸プーリー５４およびラベル保持軸１４は、互いに偏心しているとともに、保持軸プーリー５４とラベル保持軸１４との間は、互いの間の摩擦力が作用するようになっている。
【００５４】
伝達ベルト５５は、丸ベルトであって、保持軸プーリー５４および固定プーリー５３に掛け回すとともに、用紙ホルダー４の回動閉鎖にともなってその回動力を保持軸プーリー５４に伝達可能である。
ただし伝達ベルト５５は、固定プーリー５３と一体的に回動移動することなく保持軸プーリー５４とは相対的に位置ないし姿勢をずらす。
【００５５】
こうした構成の携帯式台紙なしラベル貼付け機５０のラベル保持装置５１に台紙なしラベル３を装填する操作としては、図３に示すように、まず用紙ホルダー４を側板２に対して図３中、ホルダー軸１２まわりに時計方向に回動開放する。
この開放状態でホルダーカバー１３のラベル保持軸１４にロール状の台紙なしラベル３を取り付け、その最先端部３Ｃを引き出して移送ローラー１７と押付けエレメント１８との間に挟み込むようにセットすることにより、プラテンユニット６に台紙なしラベル３の最先端部３Ｃを装填する。
【００５６】
用紙ホルダー４のホルダー軸１２まわりの側板２に対する図３中、反時計方向の回動閉鎖に対して、固定プーリー５３が固定的であるため、伝達ベルト５５がその回動力を保持軸プーリー５４に伝達する。
すなわち図４は、固定プーリー５３、保持軸プーリー５４および伝達ベルト５５の相対位置関係を示す概略説明図であって、図４（１）は、用紙ホルダー４を側板２に対して回動開放した状態の説明図、図４（２）は、用紙ホルダー４を側板２に対してわずかに閉鎖方向に回動した状態の説明図、図４（３）は、用紙ホルダー４を側板２に対して閉鎖した状態の説明図である。
【００５７】
図４（１）に示す用紙ホルダー４の初期の開放状態から、図４（２）に示す閉鎖方向への用紙ホルダー４の回動にともなって、伝達ベルト５５上の図示の各点Ｐ１（固定プーリー５３に接している点）、Ｐ２（固定プーリー５３および保持軸プーリー５４の間の図中右側の点）、Ｐ３（固定プーリー５３および保持軸プーリー５４の間の図中左側の点）は、固定プーリー５３および保持軸プーリー５４のまわりを移動することなく、固定プーリー５３および保持軸プーリー５４との相対的な位置ないし姿勢を変えるのみであり、かつ、用紙ホルダー４の回動閉鎖にともなってその閉鎖動作を保持軸プーリー５４に伝達し、保持軸プーリー５４は、伝達ベルト５５（すなわち用紙ホルダー４の閉鎖方向）とは反対方向すなわち、時計方向に逆転してゆく。
【００５８】
さらに図４（３）に示すように、上記各点Ｐ１、Ｐ２、Ｐ３が固定プーリー５３および保持軸プーリー５４との相対的な姿勢を変えて（二点Ｐ２、Ｐ３が固定プーリー５３および保持軸プーリー５４の間の右側（図中上側）に移動して）、保持軸プーリー５４とラベル保持軸１４（保持孔５６の上部内壁面）との間の摩擦力により台紙なしラベル３をその逆回転分だけ巻き取る。
かくして、陽子ホルダー４の側板２に対する閉鎖回動操作にともなって、台紙なしラベル３の弛んでいる部分を用紙ホルダー４内に巻き取り可能とすることができる。
【００５９】
図５は、上述のように用紙ホルダー４を側板２に閉鎖した状態の携帯式台紙なしラベル貼付け機５０の概略側面図であって、ラベル巻取り機構５２は、用紙ホルダー４の側板２への回動閉鎖の終了にともなって、その巻取り機能を停止する。
【００６０】
さらに、保持軸プーリー５４とラベル保持軸１４との間には保持軸プーリー５４より大径の保持孔５６が位置しているので、携帯式台紙なしラベル貼付け機５０の使用により台紙なしラベル３がラベル保持軸１４から側板２内に繰り出されてゆく際に、ラベル保持軸１４の保持孔５６と保持軸プーリー５４との間の摩擦力をこえて台紙なしラベル３が側板２内に繰り出されてゆき、台紙なしラベル３のラベル保持軸１４への巻き戻しを行うことはない。
【００６１】
したがって、ラベル保持装置４１（図１）の場合と同様に、用紙ホルダー４の側板２に対する回動閉鎖にともなって台紙なしラベル３を用紙ホルダー４内に巻き取り可能として、ラベル保持軸１４から帯状に繰り出された台紙なしラベル３は側板２内ないし側板２への繰り込み部分の付近においてその裏面側の糊面が互いに貼り付いてしまうことを回避可能であって、側板２内への台紙なしラベル３の装填を完了することができる。
【００６２】
なお、上述の第２の実施例において、固定伝達部材および保持軸伝達部材としてとして固定プーリー５３および保持軸プーリー５４を採用した場合を説明したが、プーリーの代わりにそれぞれギア（固定ギア、保持軸ギア、ともに図示せず）の構成を採用するとともに、伝達ベルト５５の代わりにギアに係合するタイミングベルト（図示せず）を用いることもできる。
【符号の説明】
【００６３】
１  携帯式台紙なしラベル印字貼付け機（従来、図６）
２  側板
３  台紙なしラベル
３Ａ  台紙なしラベル３の移送用スリット
３Ｂ  台紙なしラベル３の単葉のラベル片
３Ｃ  台紙なしラベル３の最先端部（図１、図３、図８）
３Ｄ  台紙なしラベル３の貼付き部分（図１０）
４  用紙ホルダー
５  操作レバー
５Ａ  操作レバー５の二股状のヨーク部
６  プラテンユニット
７  印字器
８  貼付けローラー
９  グリップ
１０  レバー軸
１１  コイルスプリング
１２  ホルダー軸
１３  ホルダーカバー
１３Ａ  ホルダーカバー１３の円弧先端部（図８）
１４  ラベル保持軸
１５  固定用フック
１６  プラテンフレーム
１７  移送ローラー
１８  押付けエレメント
１９  プラテン開閉軸
２０  駆動ギア
２１  従動ギア
２２  移送用無端ベルト
２２Ａ  移送用無端ベルト２２の受圧用プレート
２３  ローラーギア
２４  係脱ローラー
２５  開閉用つまみ
２６  つまみ軸
２７  開閉用係脱片
２７Ａ  開閉用係脱片２７の係脱用凹部
２８  ローラー軸
２９  連結アーム
３０  移送回動用爪
３１  移送用突起
３２  エレメントフレーム
３３  バックアップローラー
３４  バックアップリング
３５  間隙
３６  エレメント軸
３７  インキローラー
３８  移送路
４０  携帯式台紙なしラベル貼付け機（図１）
４１  携帯式台紙なしラベル貼付け機４０のラベル保持装置（第１の実施例、図１）
４２  ラベル巻取り機構
４３  固定ギア
４４  保持軸ギア
４５  中間ギア
５０  携帯式台紙なしラベル貼付け機（図３）
５１  携帯式台紙なしラベル貼付け機５０のラベル保持装置（第２の実施例、図３）
５２  ラベル巻取り機構
５３  固定プーリー（固定伝達部材）
５４  保持軸プーリー（保持軸伝達部材）
５５  伝達ベルト
５６  ラベル保持軸１４の保持孔
Ｐ１  伝達ベルト５５上で固定プーリー５３に接している点（図４）
Ｐ２  伝達ベルト５５上で固定プーリー５３および保持軸プーリー５４の間の図４中右側の点
Ｐ３  伝達ベルト５５上で固定プーリー５３および保持軸プーリー５４の間の図４中左側の点
【図１】
0005693300.tif 000002
【図２】
0005693300.tif 000003
【図３】
0005693300.tif 000004
【図４】
0005693300.tif 000005
【図５】
0005693300.tif 000006
【図６】
0005693300.tif 000007
【図７】
0005693300.tif 000008
【図８】
0005693300.tif 000009
【図９】
0005693300.tif 000010
【図１０】
0005693300.tif 000011